(57)【要約】【課題】パソコン等の外部の電子機器との間でデータの通信ができ、かつ携帯に便利でどこででも使用でき、操作をし易い携帯型記録装置を提供すること。【解決手段】ＵＳＢデータ通信端子４１をパソコン１２に接続することによりパソコン１２との間でデータ通信が行えるボイスレコーダー１０を、ＵＳＢデータ通信端子４１が設けられたＵＳＢ接続部４０と、ＵＳＢデータ通信端子４１と係合するＵＳＢ収容端子２２が設けられたレコーダー本体２０と、ＵＳＢ接続部４０とレコーダー本体２０とを繋ぐ配線コード５０とで構成した。そして、マイクロフォン２５から入る音声を信号として記憶する記憶装置２７と、記憶装置２７が記憶する音声信号をスピーカー４２から再生させる音源３３等とをレコーダー本体２０に設け、スピーカー４２をＵＳＢ接続部４０に設けた。また、配線コード５０の長さを３０〜５０ｃｍに設定し、ストラップとして使用できるようにした。【選択図】  図１
2004294610.tif 000002
【特許請求の範囲】
【請求項１】
接続端子を電子機器に接続することにより前記電子機器との間でデータ通信が行える携帯型記録装置であって、
前記接続端子が設けられた第１構造体と、
前記接続端子と係合する端子収容部が設けられた第２構造体と、
前記第１構造体と前記第２構造体とを繋ぐ配線コードと、
前記第１構造体または前記第２構造体に設けられ、前記データを入力する入力部と、
前記第１構造体または前記第２構造体に設けられ、前記入力部が入力した前記データを記憶する記憶部と、
前記第１構造体または前記第２構造体に設けられ、前記記憶部が記憶する前記データを出力する出力部と
を備えたことを特徴とする携帯型記録装置。
【請求項２】
前記入力部を前記第２構造体に設けられたマイクロフォンで構成するとともに、前記出力部を前記接続端子で構成し、前記マイクロフォンから入力した音声データを前記記憶部が記憶し、前記記憶部が記憶する音声データを前記接続端子から出力するようにした請求項１に記載の携帯型記録装置。
【請求項３】
前記接続端子および前記端子収容部を順次接続が可能な端子で構成した請求項１または２に記載の携帯型記録装置。
【発明の詳細な説明】
【０００１】
【発明の属する技術分野】
本発明は、屋外等に携帯してデータの記録、再生ができ、かつパソコン等の電子機器に接続してそのデータの通信が行える携帯型記録装置に関する。
【０００２】
【従来の技術】
従来から、屋外等に持ち運んで音声の記録や再生を行うことのできる携帯用のボイスレコーダーがある（例えば、特許文献１）。このボイスレコーダーは、レコーダー本体とバンドからなる腕時計型に形成されて、手首に取り付けて携帯できるようになっている。また、レコーダー本体は、マイクロフォンやスピーカーの他、デジタル信号処理回路等の各種の回路や記憶装置を備えて、音声の記録や再生ができるように構成されている。
【０００３】
【特許文献１】
特開２００２−２２１９９６号公報
【０００４】
【発明が解決しようとする課題】
しかしながら、前述したボイスレコーダーは、独立した装置として用いるボイスレコーダーを小型にしたもので、パソコン等の他の外部機器との間でデータの通信を行うことはできない。したがって、このボイスレコーダーは、単純に音声の記録と再生とができるだけで、データを編集する等の多様な方法で使用することができないという問題がある。また、腕時計型であるため、小さすぎて操作がし難いという問題も有している。
【０００５】
【発明の概要】
本発明は、上記問題に対処するためになされたもので、その目的は、パソコン等の外部の電子機器との間でデータの通信ができ、かつ携帯に便利でどこででも使用でき、操作し易い携帯型記録装置を提供することである。
【０００６】
上記の目的を達成するため、本発明にかかる携帯型記録装置の構成上の特徴は、接続端子を電子機器に接続することにより電子機器との間でデータ通信が行える携帯型記録装置であって、接続端子が設けられた第１構造体と、接続端子と係合する端子収容部が設けられた第２構造体と、第１構造体と第２構造体とを繋ぐ配線コードと、第１構造体または第２構造体に設けられデータを入力する入力部と、第１構造体または第２構造体に設けられ入力部が入力したデータを記憶する記憶部と、第１構造体または第２構造体に設けられ、記憶部が記憶するデータを出力する出力部とを備えたことにある。
【０００７】
前記のように構成した本発明の携帯型記録装置は、接続端子が設けられた第１構造体と、接続端子と係合する端子収容部が設けられた第２構造体と、第１構造体と第２構造体とを繋ぐ配線コードとを備えている。したがって、携帯型記録装置を屋外で使用する場合には、接続端子と端子収容部とを係合させて、第１構造体、第２構造体および配線コードをリング状に繋げることができる。このため、携帯型記録装置が持ち易くなって携帯し易くなる。また、野外等のどのような場所においても思いついた時に使用することができる。
【０００８】
また、接続端子をパソコン等の外部の電子機器に接続することにより、携帯型記録装置で記録した各種のデータをパソコンとの間で送受信することができる。これによって、記録したデータをパソコンで編集することもでき多様な使用が可能になる。このように、接続端子と端子収容部とを着脱することにより、使用する状態に合わせて形態を変化させることができるため使い勝手がよくなる。また、端子収容部を接続端子とすることもできる。この場合、接続端子をパソコン等に接続するとともに、端子収容部に他の電子機器の接続端子を接続することにより、携帯型記録装置を接続コードとして用いることもできる。
【０００９】
また、本発明における入力部としては、音声データや画像データ等の各データを取り込むための装置や外部の装置からデータを取り込むための接続端子などを含み、出力部としては、各データを再生するための装置や外部の装置に各データを出力するための接続端子などを含む。
【００１０】
また、本発明にかかる携帯型記録装置の他の構成上の特徴は、入力部を第２構造体に設けられたマイクロフォンで構成するとともに、出力部を接続端子で構成し、マイクロフォンから入力した音声データを記憶部が記憶し、記憶部が記憶する音声データを接続端子から出力するようにしたことにある。
【００１１】
前記のように構成した本発明の携帯型記録装置では、入力部がマイクロフォンで構成され、そのマイクロフォンが第２構造体に設けられている。したがって、携帯型記録装置を屋外で使用する場合には、単独で録音用装置として使用することができ、その場合、接続端子と端子収容部とを係合させて、第１構造体、第２構造体および配線コードをリング状に繋げることができる。このため、携帯しやすくなる。
【００１２】
また、接続端子を出力部としてパソコンに接続することにより、携帯型記録装置で記録した音声信号のデータをパソコンとの間で送受信することができる。これによって、記録した音声を編集することができ多様な使用が可能になる。また、接続端子をパソコンに接続し、第２構造体に設けたマイクロフォンからの音声を入力する場合は、記憶部に音声データを記録させずにパソコンに音声データを転送させ、パソコン上で音声データを記録したり加工したりしてもよい。この場合、配線コードによってマイクロフォンをパソコンから配線コードの長さの範囲で動かすことができるため音声の入力をしやすい状況を作ることができる。
【００１３】
また、この携帯型記録装置も、接続端子をパソコン等に接続するとともに、端子収容部に、他の電子機器の接続端子を接続することにより、接続コードとして用いることができる。なお、端子収容部は、接続端子としてでなく単に、接続端子と係合させるだけに用いることもできる。
【００１４】
本発明にかかる携帯型記録装置の他の構成上の特徴は、接続端子および前記端子収容部を順次接続が可能な端子で構成したことにある。この場合の順次接続が可能なものとしては、ＵＳＢやＩＥＥＥ１３９４の規格によるインターフェースがある。これによると、高速で外部の電子機器との間でデータの送受信が行える。また、ＵＳＢやＩＥＥＥ１３９４は、一般的に使用されているものであるため、幅広い範囲での機器に対して接続が可能になる。
【００１５】
さらに、本発明にかかる携帯型記録装置は、配線コードの長さを３０〜５０ｃｍに設定し、ストラップとして使用できるようにすることもできる。これによると、携帯型記録装置を屋外で使用したり持ち運んだりする場合には、接続端子と端子収容部とを係合させて携帯型記録装置をリング状にすることにより、首にかけたり手首にかけたりすることができる。これによって、携帯性や使い勝手がよくなりデザイン性も向上する。
【００１６】
【発明の実施の形態】
以下、本発明の一実施形態を図面を用いて説明する。図１は、本発明の携帯型記録装置としてのボイスレコーダー１０を使用者Ｍが身に付けた状態を示している。このボイスレコーダー１０は、図２に示すように、本発明の第２構造体としてのレコーダー本体２０と、レコーダー本体２０に対して着脱可能な本発明の第１構造体としてのＵＳＢ接続部４０と、レコーダー本体２０とＵＳＢ接続部４０とを接続する配線コード５０とで構成されている。
【００１７】
レコーダー本体２０の内部や表面には、図３に示した各装置が設けられており、これらの装置は、バス２１を介して互いに接続されている。レコーダー本体２０の端面（図２参照）には、本発明の端子収容部としてのＵＳＢ収容端子２２が設けられており、レコーダー本体２０は、ＵＳＢ収容端子２２を介して、ＵＳＢ接続部４０や外部の電子機器１１と接続可能になっている。また、レコーダー本体２０の表面には、操作パネル２３と表示装置２４とが設けられている。
【００１８】
操作パネル２３には、複数の操作ボタン２３ａ等（図１参照）が設けられており、これらの操作ボタン２３ａ等を操作することにより、録音の開始および停止の操作、モードの設定、データの転送等の種々の操作が行える。表示装置２４は、ボイスレコーダー１０の操作状態を示すＬＥＤからなるインジケータで構成され、録音時に点灯する。
【００１９】
また、レコーダー本体２０は、マイクロフォン２５および音声処理装置２６を内蔵しており、マイクロフォン２５から入力される外部の音声は、音声処理装置２６でデジタル信号化されたのちに、バス２１を介して記憶装置２７に送られる。記憶装置２７は、音声処理装置２６から送られる信号データを記憶し、その信号データを再生するときには、読み出すことが可能になっている。また、レコーダー本体２０には、ＲＡＭ２８，ＲＯＭ２９，ＣＰＵ３１およびタイマー３２も設けられており、これらによって録音、再生の各処理が実行される。
【００２０】
ＲＡＭ２８は、所定のプログラムを実行するために必要な各種レジスタ、フラグなどを含むワーキングメモリとしての書き込み可能なメモリであり、ＲＯＭ２９は、実行されるプログラムを記憶する読み出し専用のメモリである。また、ＣＰＵ３１は、ＲＯＭ２９が記憶するプログラムを中央演算処理装置として実行し、タイマー３２は、そのプログラム実行中の時間を計測する。
【００２１】
また、レコーダー本体２０は、記憶装置２７が記憶する音声の信号データを、アナログ化して出力したり、ＭＩＤＩデータをもとに音源で楽音を生成してそれらを音響データとして出力したりするオーディオ信号化処理を行う。そして、レコーダー本体２０は、このオーディオ信号化処理を行うための音源３３、効果処理装置３４およびサウンドシステム３５を備えている。音源３３は音の波形を作るチップで構成され、効果処理装置３４は音源３３が作る音の波形を選択または合成する。また、サウンドシステム３５は、データを圧縮することによってよりリアルな音を実現させる機能を有する。
【００２２】
ＵＳＢ接続部４０は、本発明の接続端子としてのＵＳＢデータ通信端子４１とスピーカー４２とを備えており、配線５１，５２を有する配線コード５０を介してレコーダー本体２０に接続されている。配線５１はＵＳＢデータ通信端子４１とバス２１とを接続し、配線５２は、スピーカー４２とサウンドシステム３５とを接続している。また、配線コード５０は、フレキシブルな材料で構成されて自由に変形することができ、その長さは、略４０ｃｍに設定されている。このため、レコーダー本体２０とＵＳＢ接続部４０とを接続したときの長さとの合計長さが、図１に示すように、ストラップとして使用者Ｍが首にかけて持ち運び易い長さになっている。
【００２３】
ＵＳＢデータ通信端子４１は、ＵＳＢ接続部４０の端面から突出しており、ＵＳＢ収容端子２２やパソコン１２等の電子機器のＵＳＢ収容端子内に収容可能な形状に形成されている。そして、ＵＳＢ接続部４０は、ＵＳＢデータ通信端子４１をパソコン１２のＵＳＢ収容端子と係合させることによりパソコン１２に接続でき、これによって、パソコン１２に対して信号データの送信が行える。パソコン１２は、レコーダー本体２０から信号データを受信してその処理をすることができる。スピーカー４２は、サウンドシステム３５から送られる信号に基づいて発音することができる。なお、レコーダー本体２０には、小型の電池（図示せず）も設けられている。
【００２４】
つぎに、以上のように構成されたボイスレコーダー１０の使用について説明する。このボイスレコーダー１０を野外で使用する場合には、ＵＳＢデータ通信端子４１をＵＳＢ収容端子２２内に差し込んで係合させて、レコーダー本体２０、ＵＳＢ接続部４０および配線コード５０をリング状に繋ぐ。そして、リング状になったボイスレコーダー１０を、図１のように、首にかけて持ち運ぶ。そして、例えば、公園等の芝生の上に寝転んで、思い浮かんだメロディー等を録音する場合には、図４のように、使用者Ｍは、ボイスレコーダー１０を首にかけたままの状態で操作することができる。
【００２５】
この場合、操作ボタン２３ａを押してボイスレコーダー１０を録音開始の状態にし、メロディーを口ずさむ。そして歌い終わると、操作ボタン２３ａ等の操作により、ボイスレコーダー１０を録音停止の状態にする。これによって、歌声は、マイクロフォン２５から入力されて、音声処理装置２６でデジタル信号に変換され、記憶装置２７に記憶される。そして、その場で、録音した音声を再生する場合には、操作ボタン２３ａ等を操作することによりボイスレコーダー１０を再生の状態にする。これによって、記憶装置２７に記憶された音声の信号データは、音源３３、効果処理装置３４およびサウンドシステム３５によってアナログ信号に変換され、スピーカー４２から発音される。
【００２６】
また、ボイスレコーダー１０を室内においてパソコン１２等に接続して使用する場合には、ＵＳＢデータ通信端子４１をＵＳＢ収容端子２２から抜いて、図５に示すようにパソコン１２ａのＵＳＢ収容端子に差し込む。そして、前述した方法で、音声を録音したり再生したりすることができる。この場合、マイクロフォン２５から音声を入力し、その音声を直接パソコン１２ａに信号として出力することができる。また、ボイスレコーダー１０に録音した音声をパソコン１２ａの記憶装置にダウンロードして、パソコン１２ａの操作により、その音声を編集することもできる。
【００２７】
編集された音声は、パソコン１２ａが備えるスピーカー等で再生することができ、これをボイスレコーダー１０に録音して野外に持ち運んで、再生することもできる。また、ＵＳＢデータ通信端子４１をパソコン１２ａのＵＳＢ収容端子に差し込んだ状態で、ボイスレコーダー１０のＵＳＢ収容端子２２に外部の電子機器１１のＵＳＢ端子を差し込むことにより、ボイスレコーダー１０を、パソコン１２ａと電子機器１１とを接続するための接続コードとして用いることもできる。
【００２８】
このように、本実施形態によるボイスレコーダー１０は、配線コード５０の両端に、レコーダー本体２０とＵＳＢ接続部４０とを接続して構成されており、ＵＳＢ収容端子２２とＵＳＢデータ通信端子４１を係合させることにより全体がリング状になる。このため、使用者Ｍは、このボイスレコーダー１０を首や手首にかけて持ち運んだり、そのまま使用したりすることができる。このため、デザイン性が向上し、装飾品として用いることもできる。また、配線コード５０が接続コードとストラップとを兼ねることができるためコストダウンにもなる。
【００２９】
また、パソコン１２ａに接続して、録音した音声信号のデータをパソコン１２ａに送信したり、接続コードとして用いたりすることもでき、多様な使用が可能になる。さらに、前述したボイスレコーダー１０では、マイクロフォン２５がレコーダー本体２０に設けられ、ＵＳＢデータ通信端子４１がＵＳＢ接続部４０に設けられている。このため、図５に示したように、ボイスレコーダー１０をパソコン１２ａに接続した場合、使用者Ｍは、パソコン１２ａから離れた位置にいてもマイクロフォン２５を口元に持っていくことができる。
【００３０】
さらに、前述したボイスレコーダー１０では、スピーカー４２がＵＳＢ接続部４０に設けられている。このため、マイクロフォン２５とスピーカー４２との間の距離を調節することができるようになり、録音の際に、スピーカー４２から出る音がマイクロフォン２５に入り易くしたり、入り難くしたりすることができる。また、これによって、異音が発生するハウリングを生じにくくすることが可能になる。
【００３１】
前述した実施形態では、ボイスレコーダー１０は、独立の装置として音声の録音や再生ができるとともに、パソコン１２ａ等に接続して記憶するデータを送信できるものとしたが、再生装置を設けることにより、パソコン１２ａ等からのデータを受信できるようにすることもできる。これによると、パソコン１２ａ等で編集された音声を、ボイスレコーダー１０で再生することができる。また、パソコン１２ａ等から受信したデータを記憶装置２７に記録して、ボイスレコーダー１０を野外に持ち運んで再生することもできる。この結果、さらに多様な使用が可能になる。
【００３２】
また、前述した実施形態では、マイクロフォン２５が、レコーダー本体２０に内蔵されているとしたが、このマイクロフォン２５は、外付けのものを使用してもよい。また、マイクロフォン２５を用いないボイスレコーダーとしてもよい。この場合、ボイスレコーダーに再生機能を持たせて音楽鑑賞用として用いる。同様に、記憶装置２７としても、レコーダー本体２０に内蔵されたものでなく着脱可能なスマートメディア等の記憶装置を使用することができる。また、ＵＳＢデータ通信端子４１やＵＳＢ収容端子２２に替えて、ＩＥＥＥ１３９４規格に基づく端子や収容端子を用いてもよい。このＩＥＥＥ１３９４規格もＵＳＢとともに、一般的に使用されているものであるため、幅広い範囲での機器に対して対応できるようになる。
【００３３】
図６は、本発明の他の実施形態に係るボイスレコーダー６０を示している。このボイスレコーダー６０では、ＵＳＢ収容端子２２に代えて、ＵＳＢデータ通信端子４１と着脱可能に係合できる係合部としてのみ機能する端子収容部２２ａが設けられている。そして、ボイスレコーダー１０が備える音源３３、効果処理装置３４、サウンドシステム３５、スピーカー４２および配線５２は設けられていない。このボイスレコーダー６０のそれ以外の部分の構成については、前述したボイスレコーダー１０と同一である。したがって、同一部分に同一符号を記している。
【００３４】
この場合、ボイスレコーダー１０と同様、歌声等の音声を、マイクロフォン２５から入力して、音声処理装置２６でデジタル信号に変換し、記憶装置２７に記憶することができる。そして、ボイスレコーダー６０のＵＳＢデータ通信端子４１を端子収容部２２ａから抜いて、パソコン１２のＵＳＢ収容端子に差し込み、前述した方法で、音声を録音したり再生したりすることができる。また、マイクロフォン２５から音声を入力し、その音声を直接パソコン１２に信号として出力することができる。また、ボイスレコーダー６０に録音した音声をパソコン１２の記憶装置にダウンロードして、パソコン１２の操作により、その音声を編集することもできる。
【００３５】
また、前述した実施形態では、携帯型記録装置を、音声の録音、再生を行うボイスレコーダー１０としたが、本発明の携帯型記録装置は、これに限らず、例えば、画像データの記録、再生を行うものでもよい。この場合、マイクロフォン２５に替えてカメラを用いる。また、図３に示したボイスレコーダー１０のスピーカー４２に替えて画像データを再生するための再生装置を用いる。また、その他、各種のデータの記録、再生が行える携帯型記録装置とすることもできる。さらに、前述した実施形態では、配線コード５０の長さを略４０ｃｍとしたが、この長さは使用目的に応じて適宜変更することができる。ただし、その長さは、３０〜５０ｃｍに設定して、ストラップとして首に掛けて使用できることが好ましい。
【図面の簡単な説明】
【図１】本発明の一実施形態によるボイスレコーダーを使用者が持ち運ぶ状態を示す正面図である。
【図２】図１に示したボイスレコーダーのレコーダー本体とＵＳＢ接続部４０との係合を解除した状態を示す側面図である。
【図３】ボイスレコーダーの概略構成図である。
【図４】ボイスレコーダーを野外で使用する状態を示す斜視図である。
【図５】ボイスレコーダーをパソコンに接続して使用する状態を示す斜視図である。
【図６】本発明の他の実施形態によるボイスレコーダーの概略構成図である。
【符号の説明】
１０，６０…ボイスレコーダー、１２，１２ａ…パソコン、２０…レコーダー本体、２２…ＵＳＢ収容端子、２２ａ…端子収容部、２７…記憶装置、３３…音源、３４…効果処理装置、３５…サウンドシステム、４０…ＵＳＢ接続部、４１…ＵＳＢデータ通信端子、４２…スピーカー、５０…配線コード。
【図１】
2004294610.tif 000003
【図２】
2004294610.tif 000004
【図３】
2004294610.tif 000005
【図４】
2004294610.tif 000006
【図５】
2004294610.tif 000007
【図６】
2004294610.tif 000008